(57)【要約】【課題】同一平面上に配列された二対の高周波信号コンタクトペア間のグランドプレートを介したクロストークを抑制するとともに、内部構造体の反りおよび曲げの発生を防止することが可能な電気コネクタおよび該電気コネクタを含む電子デバイスを提供すること。【解決手段】電気コネクタ１は、複数のコンタクト３１と、複数のコンタクト３１と対向し、かつ、互いに離間して配置された第１のグランドプレート３２Ｌおよび第２のグランドプレート３２Ｒと、複数のコンタクト３１、第１のグランドプレート３２Ｌ、および第２のグランドプレート３２Ｒを互いに絶縁された状態で保持するインシュレーター３３と、を含む。第１のグランドプレート３２Ｌおよび第２のグランドプレート３２Ｒの双方は、グランド平面上において、一方から他方に向かって延伸する延伸部を備えている。【選択図】図４
2020072078.tif 000002
【特許請求の範囲】
【請求項１】
先端側から挿入される相手側コネクタと嵌合可能な電気コネクタであって、
同一平面上に配列された複数のコンタクトと、
前記複数のコンタクトと対向し、かつ、前記複数のコンタクトが配列された前記平面と平行なグランド平面上に、互いに離間して配置された第１のグランドプレートおよび第２のグランドプレートと、
前記複数のコンタクト、前記第１のグランドプレート、および前記第２のグランドプレートが互いに絶縁された状態で、前記複数のコンタクト、前記第１のグランドプレート、および前記第２のグランドプレートを保持するインシュレーターと、を含み、
前記第１のグランドプレートおよび前記第２のグランドプレートの双方は、前記グランド平面上において、一方から他方に向かって延伸する延伸部を備えており、
前記第１のグランドプレートの前記延伸部および前記第２のグランドプレートの前記延伸部は、前記相手側コネクタの挿入方向において、少なくとも一部が重なっていることを特徴とする電気コネクタ。
【請求項２】
前記第１のグランドプレートの前記延伸部は、前記グランド平面上において、前記第２のグランドプレートに向かって延伸しており、
前記第２のグランドプレートの前記延伸部は、前記グランド平面上において、前記第１のグランドプレートに向かって延伸している請求項１に記載の電気コネクタ。
【請求項３】
前記第１のグランドプレートと前記第２のグランドプレートとが最接近する箇所での前記第１のグランドプレートと前記第２のグランドプレートとの離間距離は、前記第１のグランドプレートまたは前記第２のグランドプレートと前記複数のコンタクトのそれぞれとが最接近する箇所での前記第１のグランドプレートまたは前記第２のグランドプレートと前記複数のコンタクトのそれぞれとの離間距離以上である請求項１または２に記載の電気コネクタ。
【請求項４】
前記相手側コネクタの前記挿入方向において、前記第１のグランドプレートの前記延伸部および前記第２のグランドプレートの前記延伸部が重なっている領域は、前記相手側コネクタの前記挿入方向に直交する前記電気コネクタの幅方向において、０．２５ｍｍ以上の幅を有している請求項１ないし３のいずれかに記載の電気コネクタ。
【請求項５】
前記第１のグランドプレートおよび前記第２のグランドプレートのそれぞれは、平板状の本体部を有し、
前記第１のグランドプレートおよび前記第２のグランドプレートは、前記第１のグランドプレートおよび前記第２のグランドプレートの前記本体部が、前記グランド平面上において、前記電気コネクタの前記幅方向の前記電気コネクタの中心線を介して対称となるよう配置されている請求項４に記載の電気コネクタ。
【請求項６】
前記第１のグランドプレートおよび前記第２のグランドプレートのそれぞれは、
前記複数のコンタクト、前記第１のグランドプレート、および前記第２のグランドプレートを保持するよう前記インシュレーターを成形する際に前記複数のコンタクトのそれぞれの位置決めを行う位置決めピンを挿通させるための位置決め孔と、
前記インシュレーターの成形時には接続部を介して互いに接続されている前記複数のコンタクトの接続部を打ち抜き、前記複数のコンタクトを互いに分離させるためのタイバーカットを実行するためのタイバーカット孔と、
前記複数のコンタクトのインピーダンスを調整するためのインピーダンス調整孔と、を備えている請求項１ないし５のいずれかに記載の電気コネクタ。
【請求項７】
筐体と、
前記筐体内に設けられた回路基板と、
前記回路基板上に実装された、請求項１ないし６のいずれかに記載の電気コネクタと、を含むことを特徴とする電子デバイス。
【発明の詳細な説明】
【技術分野】
【０００１】
本発明は、一般に、電気コネクタおよび該電気コネクタを含む電子デバイスに関し、より具体的には、同一平面上に配列された二対の高周波信号コンタクトペア間のグランドプレートを介したクロストークを抑制するとともに、内部構造体の反りおよび曲げの発生を防止することが可能な電気コネクタおよび該電気コネクタを含む電子デバイスに関する。
【背景技術】
【０００２】
従来、電子デバイスと他の電子デバイスとを電気的に接続するために電気コネクタが用いられている。電子デバイスと他の電子デバイスとの間の電気的接続を得るために、電子デバイスの筐体内に設けられた回路基板上に実装され、電子デバイスの筐体に設けられた貫通孔から差込口が電子デバイスの外部に露出するレセプタクルコネクタと、レセプタクルコネクタの差込口に挿入されるプラグコネクタの２種類の電気コネクタが組み合わされて用いられる。
【０００３】
また、近年の電子デバイスの小型化に伴い、電気コネクタに対する小型化要求が高まっている。そのような電気コネクタに対する小型化要求に応え、ＵＳＢ  Ｔｙｐｅ−Ｃの規格が提案されている。ＵＳＢ  Ｔｙｐｅ−Ｃの規格に従う電気コネクタは、上下対称なデザインを採用しており、コネクタの上下の向きに関わらず、プラグコネクタをレセプタクルコネクタに挿入することが可能となっている。
【０００４】
ＵＳＢ  Ｔｙｐｅ−Ｃの規格に従うレセプタクルコネクタは、金属製のシェルと、シェルの内部に収納される内部構造体と、を含んでいる。内部構造体は、相手側コネクタ（プラグコネクタ）の複数のコネクタにそれぞれ接触する複数のコンタクトと、グランドプレートと、複数のコンタクトおよびグランドプレートを互いに絶縁された状態で保持するインシュレーターと、を備えている。
【０００５】
図１は、ＵＳＢ  Ｔｙｐｅ−Ｃの規格に従うレセプタクルコネクタの内部構造体が備えるグランドプレート８００および複数のコンタクト８１０の配置を示している。さらに、図２は、図１に示すグランドプレート８００および複数のコンタクト８１０を正面（相手側コネクタの挿入方向側）から見た図である。
【０００６】
図１および図２に示すように、金属材料から構成される平板状のグランドプレート８００の上面側には、同一平面上に配列された複数のコンタクト８１０から構成される第１のグループ８１０Ｕが設けられており、グランドプレート８００の下面側には、同一平面上に配列された複数のコンタクト８１０から構成される第２のグループ８１０Ｌが設けられている。
【０００７】
第１のグループ８１０Ｕおよび第２のグループ８１０Ｌのそれぞれは、先端側から挿入される相手側コネクタとの間で高周波信号を伝送するための高周波信号用コネクタ８１０Ａから構成される二対の高周波信号コンタクトペアＣＰ１と、相手側コネクタとの間で通常の周波数の信号を伝送するための通常信号用コネクタ８１０Ｂから構成される通常信号コンタクトペアＣＰ２と、グランドコンタクト、電源供給用コンタクト、識別用コンタクト等の非信号コンタクト８１０Ｃと、を含む。
【０００８】
第１のグループ８１０Ｕおよび第２のグループ８１０Ｌのそれぞれにおいて、二対の高周波信号コンタクトペアＣＰ１および通常信号コンタクトペアＣＰ２のそれぞれの左右には非信号コンタクト８１０Ｃが配列されている。さらに、二対の高周波信号コンタクトペアＣＰ１の間に通常信号コンタクトペアＣＰ２が配列されている。さらに、図２に示すように、第１のグループ８１０Ｕおよび第２のグループ８１０Ｌは、グランドプレート８００を介して上下対称となっている。
【０００９】
ＵＳＢ  Ｔｙｐｅ−Ｃの規格に従うレセプタクルコネクタは非常に小型であり、第１のグループ８１０Ｕを構成するコンタクト８１０と第２のグループ８１０Ｌを構成するコンタクト８１０間の離間距離が短い。そのため、第１のグループ８１０Ｕの高周波信号コンタクトペアＣＰ１と第２のグループ８１０Ｌの高周波信号コンタクトペアＣＰ１との間で発生するクロストークが問題となる。ＵＳＢ  Ｔｙｐｅ−Ｃの規格に従うレセプタクルコネクタでは、このようなクロストークを抑制するために、第１のグループ８１０Ｕと第２のグループ８１０Ｌとの間にグランドプレート８００が配置されている。
【００１０】
しかしながら、グランドプレート８００を第１のグループ８１０Ｕおよび第２のグループ８１０Ｌに近接して配置することによって、第１のグループ８１０Ｕの二対の高周波信号コンタクトペアＣＰ１間のクロストーク、および、第２のグループ８１０Ｌの二対の高周波信号コンタクトペアＣＰ１間のクロストークが発生してしまうことが分かっている。第１のグループ８１０Ｕまたは第２のグループ８１０Ｌの一方の高周波信号コンタクトペアＣＰ１に高周波信号が流れると、グランドプレート８００を介して、他方の高周波信号コンタクトペアＣＰ１が一方の高周波信号コンタクトペアＣＰ１を流れる高周波信号の影響を受け、他方の高周波信号コンタクトペアＣＰ１にクロストークが発生してしまう。
【００１１】
このような問題に対し、特許文献１は、図３に示すように、グランドプレート８００を相手側コネクタの挿入方向に沿って、複数のグランドプレート片８００Ａ、８００Ｂ、８００Ｃに分割することを開示している。第１のグループ８１０Ｕおよび第２のグループ８１０Ｌの一方の高周波信号コンタクトペアＣＰ１と対向するグランドプレート片８００Ａは、他方の高周波信号コンタクトペアＣＰ１と対向するグランドプレート片８００Ｃと離間している。そのため、グランドプレート８００を介した第１のグループ８１０Ｕまたは第２のグループ８１０Ｌの二対の高周波信号コンタクトペアＣＰ１間のクロストークの発生を抑制することができる。
【００１２】
しかしながら、図３に示すように、グランドプレート８００を相手側コネクタの挿入方向に沿って複数のグランドプレート片８００Ａ、８００Ｂ、８００Ｃに分割した場合、相手側コネクタの挿入方向において、グランドプレート片８００Ａとグランドプレート片８００Ｂとの間、並びに、グランドプレート片８００Ｃとグランドプレート片８００Ｂとの間に、グランドプレート８００が存在しない空間Ｓが生じてしまう。グランドプレート８００は、内部構造体の面方向の曲げ応力を担っているので、空間Ｓが位置する部分において内部構造体の面方向の曲げ応力が著しく低下してしまう。その結果、空間Ｓが位置する部分において内部構造体の反りおよび曲げが発生しやすくなるという問題がある。
【００１３】
内部構造体の反りおよび曲げが発生すると、相手側コネクタの複数のコンタクトとレセプタクルコネクタの複数のコンタクト８１０との間の接触不良が発生しやすくなってしまう。そのため、グランドプレート８００を介した第１のグループ８１０Ｕまたは第２のグループ８１０Ｌの二対の高周波信号コンタクトペアＣＰ１間のクロストークの発生を抑制すると共に、内部構造体の反りおよび曲げの発生を防止する必要がある。
【先行技術文献】
【特許文献】
【００１４】
【特許文献１】特開２０１６−１８６７４号公報
【発明の概要】
【発明が解決しようとする課題】
【００１５】
本発明は、上記従来の問題点を鑑みたものであり、その目的は、グランドプレートの上面側または下面側に配列された複数のコンタクトの二対の高周波信号コンタクトペア間のクロストークを抑制するとともに、内部構造体の反りおよび曲げの発生を防止することが可能な電気コネクタおよび該電気コネクタを含む電子デバイスを提供することにある。
【課題を解決するための手段】
【００１６】
このような目的は、以下の（１）〜（７）の本発明により達成される。
（１）先端側から挿入される相手側コネクタと嵌合可能な電気コネクタであって、
同一平面上に配列された複数のコンタクトと、
前記複数のコンタクトと対向し、かつ、前記複数のコンタクトが配列された前記平面と平行なグランド平面上に、互いに離間して配置された第１のグランドプレートおよび第２のグランドプレートと、
前記複数のコンタクト、前記第１のグランドプレート、および前記第２のグランドプレートが互いに絶縁された状態で、前記複数のコンタクト、前記第１のグランドプレート、および前記第２のグランドプレートを保持するインシュレーターと、を含み、
前記第１のグランドプレートおよび前記第２のグランドプレートの双方は、前記グランド平面上において、一方から他方に向かって延伸する延伸部を備えており、
前記第１のグランドプレートの前記延伸部および前記第２のグランドプレートの前記延伸部は、前記相手側コネクタの挿入方向において、少なくとも一部が重なっていることを特徴とする電気コネクタ。
【００１７】
（２）前記第１のグランドプレートの前記延伸部は、前記グランド平面上において、前記第２のグランドプレートに向かって延伸しており、
前記第２のグランドプレートの前記延伸部は、前記グランド平面上において、前記第１のグランドプレートに向かって延伸している上記（１）に記載の電気コネクタ。
【００１８】
（３）前記第１のグランドプレートと前記第２のグランドプレートとが最接近する箇所での前記第１のグランドプレートと前記第２のグランドプレートとの離間距離は、前記第１のグランドプレートまたは前記第２のグランドプレートと前記複数のコンタクトのそれぞれとが最接近する箇所での前記第１のグランドプレートまたは前記第２のグランドプレートと前記複数のコンタクトのそれぞれとの離間距離以上である上記（１）または（２）に記載の電気コネクタ。
【００１９】
（４）前記相手側コネクタの前記挿入方向において、前記第１のグランドプレートの前記延伸部および前記第２のグランドプレートの前記延伸部が重なっている領域は、前記相手側コネクタの前記挿入方向に直交する前記電気コネクタの幅方向において、０．２５ｍｍ以上の幅を有している上記（１）ないし（３）のいずれかに記載の電気コネクタ。
【００２０】
（５）前記第１のグランドプレートおよび前記第２のグランドプレートのそれぞれは、平板状の本体部を有し、
前記第１のグランドプレートおよび前記第２のグランドプレートは、前記第１のグランドプレートおよび前記第２のグランドプレートの前記本体部が、前記グランド平面上において、前記電気コネクタの前記幅方向の前記電気コネクタの中心線を介して対称となるよう配置されている上記（４）に記載の電気コネクタ。
【００２１】
（６）前記第１のグランドプレートおよび前記第２のグランドプレートのそれぞれは、
前記複数のコンタクト、前記第１のグランドプレート、および前記第２のグランドプレートを保持するよう前記インシュレーターを成形する際に前記複数のコンタクトのそれぞれの位置決めを行う位置決めピンを挿通させるための位置決め孔と、
前記インシュレーターの成形時には接続部を介して互いに接続されている前記複数のコンタクトの接続部を打ち抜き、前記複数のコンタクトを互いに分離させるためのタイバーカットを実行するためのタイバーカット孔と、
前記複数のコンタクトのインピーダンスを調整するためのインピーダンス調整孔と、を備えている上記（１）ないし（５）のいずれかに記載の電気コネクタ。
【００２２】
（７）筐体と、
前記筐体内に設けられた回路基板と、
前記回路基板上に実装された、上記（１）ないし（６）のいずれかに記載の電気コネクタと、を含むことを特徴とする電子デバイス。
【発明の効果】
【００２３】
本発明の電気コネクタは、複数のコンタクトが配列された平面と平行なグランド平面上に、互いに離間して配置された第１のグランドプレートおよび第２のグランドプレートを備えている。そのため、第１のグランドプレートおよび第２のグランドプレートの一方と対向するコンタクトの高周波信号コンタクトペアに高周波信号が流れた際の高周波信号コンタクトペア間のクロストークの発生を抑制することができる。
【００２４】
さらに、第１のグランドプレートおよび第２のグランドプレートの双方は、グランド平面上において、一方から他方に向かって延伸する延伸部を備えており、さらに、第１のグランドプレートの延伸部および第２のグランドプレートの延伸部は、相手側コネクタの挿入方向において、少なくとも一部が重なっている。そのため、グランド平面上に配置された第１のグランドプレートおよび第２のグランドプレートを相手側コネクタの挿入方向から見た際に、全ての領域において、第１のグランドプレートまたは第２のグランドプレートが存在している。この結果、複数のコンタクト、第１のグランドプレート、第２のグランドプレート、およびインシュレーターから構成される内部構造体の面方向の応力が低下することを防止することができ、内部構造体の反りおよび曲げの発生を防止することができる。
【図面の簡単な説明】
【００２５】
【図１】従来の電気コネクタにおける複数のコンタクトおよびグランドプレートの配置を示す斜視図である。
【図２】図１に示す複数のコンタクトおよびグランドプレートを正面から見た図である。
【図３】従来の電気コネクタにおけるグランドプレートを示す平面図である。
【図４】本発明の実施形態に係る電気コネクタを示す斜視図である。
【図５】図４に示す電気コネクタを別の角度から示す斜視図である。
【図６】図４に示す電気コネクタの分解斜視図である。
【図７】別の角度から見た図４に示す電気コネクタの分解斜視図である。
【図８】図４に示す電気コネクタの内部構造体を示す斜視図である。
【図９】図８に示す内部構造体が備える複数のコンタクトの第１のグループを示す斜視図である。
【図１０】図８に示す内部構造体が備える複数のコンタクトの第２のグループを示す斜視図である。
【図１１】図８に示す内部構造体が備える第１のグランドプレートおよび第２のグランドプレートを示す平面図である。
【図１２】図１１に示す第１のグランドプレートおよび第２のグランドプレートと、複数のコンタクトとの位置関係を示す平面図である。
【図１３】図８に示す内部構造体が備える第１のグランドプレートおよび第２のグランドプレートの変形例を示す平面図である。
【図１４】図４に示す電気コネクタの縦断面図である。
【図１５】図４に示す電気コネクタと相手側コネクタとが嵌合した状態を示す縦断面図である。
【発明を実施するための形態】
【００２６】
以下、本発明の電気コネクタおよび電子デバイスを、添付図面に示す好適な実施形態に基づいて、説明する。なお、以下で参照する各図は、本発明の説明のために用意された模式的な図である。図面に示された各構成要素の寸法（長さ、幅、厚さ等）は、必ずしも実際の寸法を反映したものではない。また、各図において、同一または対応する要素には、同じ参照番号が付されている。以下の説明において、各図のＺ軸の正方向を「先端側」といい、Ｚ軸の負方向を「基端側」といい、Ｙ軸の正方向を「上側」といい、Ｙ軸の負方向を「下側」といい、Ｘ軸の正方向を「手前側」といい、Ｘ軸の負方向を「奥側」ということがある。
【００２７】
最初に、図４〜図１５を参照して、本発明の実施形態に係る電気コネクタを詳述する。図４は、本発明の実施形態に係る電気コネクタを示す斜視図である。図５は、図４に示す電気コネクタを別の角度から示す斜視図である。図６は、図４に示す電気コネクタの分解斜視図である。図７は、別の角度から見た図４に示す電気コネクタの分解斜視図である。図８は、図４に示す電気コネクタの内部構造体を示す斜視図である。図９は、図８に示す内部構造体が備える複数のコンタクトの第１のグループを示す斜視図である。図１０は、図８に示す内部構造体が備える複数のコンタクトの第２のグループを示す斜視図である。図１１は、図８に示す内部構造体が備える第１のグランドプレートおよび第２のグランドプレートを示す平面図である。図１２は、図１１に示す第１のグランドプレートおよび第２のグランドプレートと、複数のコンタクトとの位置関係を示す平面図である。図１３は、図８に示す内部構造体が備える第１のグランドプレートおよび第２のグランドプレートの変形例を示す平面図である。図１４は、図４に示す電気コネクタの縦断面図である。図１５は、図４に示す電気コネクタと相手側コネクタとが嵌合した状態を示す縦断面図である。
【００２８】
図４〜図１５に示す本発明の実施形態に係る電気コネクタ１は、電子デバイスの筐体（図示せず）内に設けられた回路基板上に、レセプタクルコネクタとして実装される。図１５に示すように、電気コネクタ１の先端側から相手側コネクタ１００が挿入されると、相手側コネクタ１００と電気コネクタ１との間の電気的接続が提供される。
【００２９】
図４〜図７に示すように、電気コネクタ１は、金属製の円筒状のシェル２と、同一平面上に配列された複数のコンタクト３１と、複数３１のコンタクトと対向し、かつ、複数のコンタクト３１が配列された平面と平行なグランド平面上に、互いに離間して配置された第１のグランドプレート３２Ｌおよび第２のグランドプレート３２Ｒと、複数のコンタクト３１、第１のグランドプレート３２Ｌ、および第２のグランドプレート３２Ｒが互いに絶縁された状態で、複数のコンタクト３１、第１のグランドプレート３２Ｌ、および第２のグランドプレート３２Ｒを保持するインシュレーター３３とを備え、シェル２の内部に収納される内部構造体３と、を含む。
【００３０】
シェル２は、金属材料から構成された筒状部材であり、内部構造体３を外側から覆うと共に、電気コネクタ１を電子デバイスの回路基板上に固定するために用いられる。シェル２は、電気コネクタ１の嵌合方向（各図のＺ軸方向）の先端側および基端側を除き、内部構造体３を覆った状態で、内部構造体３を内部に収納する。図６および図７に示すように、シェル２は、筒状の本体部２１と、先端側から電気コネクタ１に相手側コネクタ１００が挿入された際に相手側コネクタ１００のシェル１１０と接触するシェル接触部２２と、先端側から電気コネクタ１に相手側コネクタ１００が挿入された際に相手側コネクタ１００のシェル１１０の先端と接触するシェルストッパー２３と、内部構造体３のインシュレーター３３を上側から抑える抑え部２４と、本体部２１の側面から下側に向かって延伸する二対のシェル脚部２５と、を備えている。
【００３１】
シェル２の本体部２１は、図６および図７に示すような扁平な筒状形状を有している。本体部２１の筒状形状の内面によって規定される空間内に内部構造体３が収納される。本体部２１の先端側には、相手側コネクタを受け入れるための差込口２１１が形成されている。一方、本体部２１の基端側には、シェル２の内部に収納された内部構造体３の複数のコンタクト３１、第１のグランドプレート３２Ｌ、および第２のグランドプレート３２Ｒを、電子デバイスの回路基板に導くための基端側開口２１２が形成されている。
【００３２】
電気コネクタ１が組み立てられた状態において、本体部２１の内部に内部構造体３が収納される。本体部２１の基端側開口２１２から内部構造体３の複数のコンタクト３１、第１のグランドプレート３２Ｌ、および第２のグランドプレート３２Ｒが電子デバイスの回路基板に向かって延伸し、電子デバイスの回路基板に内部構造体３の複数のコンタクト３１、第１のグランドプレート３２Ｌ、および第２のグランドプレート３２Ｒが基板接続部３１３、３２２（図９〜図１１参照）を介して接続されることで、電気コネクタ１が電子デバイスの回路基板に実装される。
【００３３】
シェル２のシェル接触部２２は、相手側コネクタ１００のシェル１１０と接触し、電気コネクタ１と相手側コネクタ１００のグランド電位を等しくするために用いられる。シェル２のシェル接触部２２は、シェル２の本体部２１の上面から下方向に向かって延伸し、本体部２１の上面に片持ち支持された一対の突起片である。シェル接触部２２のそれぞれは、本体部２１の上面に切り込み加工を施し、切り込まれた部分を下方向（本体部２１の内側方向）に折り曲げることにより形成されている。相手側コネクタ１００がシェル２の本体部２１の差込口２１１を介して挿入されると、シェル接触部２２が相手側コネクタ１００のシェル１１０の外周に接触し、初期位置から押し上げられる。相手側コネクタ１００がシェル２の本体部２１の差込口２１１から引き抜かれると、シェル接触部２２が弾性復元し、初期位置に戻る。
【００３４】
電気コネクタ１が組み立てられた状態において先端側から相手側コネクタ１００がシェル２の差込口２１１内に挿入されると、相手側コネクタ１００の複数のコンタクト１２０が本体部２１の内部に収納されている内部構造体３の複数のコンタクト３１とそれぞれ接触することにより、先端側から挿入された相手側コネクタ１００と電気コネクタ１との間の電気的接続が提供される。さらに、相手側コネクタ１００のグランド端子が第１のグランドプレート３２Ｌおよび第２のグランドプレート３２Ｒに接触し、さらに、シェル接触部２２が相手側コネクタ１００のシェル１１０に接触することにより、相手側コネクタ１００と電気コネクタ１のグランド電位が等しいものとされる。
【００３５】
シェル２のシェルストッパー２３は、相手側コネクタ１００の挿入動作を規制する機能を有している。シェル２のシェルストッパー２３は、本体部２１の上面および下面のそれぞれに２つ形成されている。シェルストッパー２３のそれぞれは、本体部２１の上面または下面から本体部２１の内側に向かって突出するＵ字形状の部材である。シェルストッパー２３のそれぞれは、本体部２１の上面または下面に切り込み加工を施し、切り込まれた部分を本体部２１の内側方向に折り曲げることにより形成されている。
【００３６】
シェルストッパー２３のそれぞれのＵ字形状の基端側の面は、内部構造体３のインシュレーター３３の基部３３１の先端側端面と接触している。これにより、内部構造体３のインシュレーター３３の基部３３１を先端側から抑える。相手側コネクタ１００がシェル２の本体部２１の差込口２１１を介して挿入されたとき、相手側コネクタ１００のシェル１１０の先端がシェルストッパー２３に接触することにより、相手側コネクタ１００の挿入動作が規制される。
【００３７】
シェル２の抑え部２４は、電気コネクタ１が組み立てられた状態において、内部構造体３のインシュレーター３３の基部３３１を上側から抑え、内部構造体３がシェル２から離脱することを防止するために用いられる。抑え部２４は、本体部２１の上面に２つ形成されており、本体部２１の上面から下方向（本体部２１の内側）に向かって延伸する平板状の部材である。電気コネクタ１が組み立てられた状態において、抑え部２４がシェル２の内部に収納された内部構造体３のインシュレーター３３の基部３３１を基端側から抑える。抑え部２４は、電気コネクタ１が組み立てられる前の段階においては、本体部２１の上面から下方向（本体部２１の内側）に向かって延伸していない。電気コネクタ１が組み立てられる際において、内部構造体３をシェル２の本体部２１内の所定の位置に配置した後、シェル２の抑え部２４が下方に折り曲げられ、内部構造体３のインシュレーター３３の基部３３１を上側から抑える。
【００３８】
シェル２のシェル脚部２５は、電気コネクタ１を電子デバイスの回路基板上に固定するために用いられる。二対のシェル脚部２５のうち一方の対は、シェル２の本体部２１の両側面の基端側から下方に突出するよう形成されており、他方の対は、シェル２の本体部２１の両側面の略中心部から下方に突出するよう形成されている。電気コネクタ１が組み立てられた状態において、シェル２の二対のシェル脚部２５が電子デバイスの回路基板上に形成された係合孔に挿入され、電気コネクタ１が電子デバイスの回路基板上に固定される。
【００３９】
図８に示すように、内部構造体３は、相手側コネクタ１００の複数のコンタクト１２０とそれぞれ接触することにより、相手側コネクタ１００と電気コネクタ１との間の電気的接続を提供する複数のコンタクト３１と、複数のコンタクト３１と対向し、かつ、複数のコンタクト３１が配列された平面と平行なグランド平面上に、互いに離間して配置された第１のグランドプレート３２Ｌおよび第２のグランドプレート３２Ｒと、複数のコンタクト３１、第１のグランドプレート３２Ｌ、および第２のグランドプレート３２Ｒが互いに絶縁された状態で、複数のコンタクト３１、第１のグランドプレート３２Ｌ、および第２のグランドプレート３２Ｒを保持するインシュレーター３３と、を備えている。
【００４０】
インシュレーター３３は、絶縁性材料から構成されており、複数のコンタクト３１、第１のグランドプレート３２Ｌおよび第２のグランドプレート３２Ｒが互いに絶縁された状態で、複数のコンタクト３１、第１のグランドプレート３２Ｌおよび第２のグランドプレート３２Ｒを保持する機能を有している。インシュレーター３３は、電気コネクタ１が組み立てられた状態において、先端側から相手側コネクタ１００がシェル２の差込口２１１内に挿入されたときに、複数のコンタクト３１が相手側コネクタ１００の複数のコンタクト１２０とそれぞれ接触可能となり、さらに、第１のグランドプレート３２Ｌおよび第２のグランドプレート３２Ｒが相手側コネクタ１００のグランド端子に接触可能となるように複数のコンタクト３１、第１のグランドプレート３２Ｌおよび第２のグランドプレート３２Ｒを保持している。
【００４１】
インシュレーター３３は、内部構造体３をシェル２の本体部２１に対して固定するためにシェル２の本体部２１の基端側開口２１２に圧入される基部３３１と、基部３３１から先端側に向かって延伸する舌状部３３２と、を備えている。
【００４２】
基部３３１は、ＸＹ平面においてシェル２の本体部２１の基端側開口２１２に対応する形状を有する部材であり、基部３３１をシェル２の本体部２１の基端側開口２１２内に圧入することにより、内部構造体３がシェル２の本体部２１の内部に固定的に収納される。基部３３１の内部に複数のコンタクト３１の固定部３１２（図９および図１０参照）が埋め込まれ、複数のコンタクト３１、第１のグランドプレート３２Ｌ、および第２のグランドプレート３２Ｒが互いに絶縁した状態でインシュレーター３３によって保持される。
【００４３】
図８に示すように、基部３３１の先端側からは複数のコンタクト３１のそれぞれの接点部３１１が先端側に向かって突出している。一方、図７に示すように、基部３３１の基端側からは、複数のコンタクト３１のそれぞれの基板接続部３１３（図９および図１０参照）、並びに、第１のグランドプレート３２Ｌおよび第２のグランドプレート３２Ｒの基板接続部３２２（図１２参照）が基端側に向かって突出している。
【００４４】
インシュレーター３３の舌状部３３２は、基部３３１から先端側に向かって延伸する平板状の部材であり、複数のコンタクト３１を載置し、さらに、第１のグランドプレート３２Ｌおよび第２のグランドプレート３２Ｒを内部において保持するために用いられる。舌状部３３２の上面および下面上には、図９および図１０に示す複数のコンタクト３１のそれぞれを載置するための複数のコンタクト受け部３３３が形成されている。さらに、舌状部３３２の先端面および側面には、第１のグランドプレート３２Ｌおよび第２のグランドプレート３２Ｒを露出させるための開口３３４が形成されている。
【００４５】
舌状部３３２の上面に形成された複数のコンタクト受け部３３３内に複数のコンタクト３１がそれぞれ収納され、図９に示す複数のコンタクト３１の第１のグループ３１Ｕが構成される。さらに、舌状部３３２の下面に形成された複数のコンタクト受け部３３３内に複数のコンタクト３１がそれぞれ収納され、図１０に示す複数のコンタクト３１の第２のグループ３１Ｌが構成される。さらに、また、舌状部３３２には、第１のグランドプレート３２Ｌおよび第２のグランドプレート３２Ｒが埋設されており、開口３３４を介し第１のグランドプレート３２Ｌおよび第２のグランドプレート３２Ｒの一部分が外部に露出している。
【００４６】
図９に示すように、複数のコンタクト３１の第１のグループ３１Ｕは、同一平面（上側コンタクト配列平面）上にＸ軸方向に沿って互いに平行に配列され、舌状部３３２の上面に形成された複数のコンタクト受け部３３３内にそれぞれ載置された複数のコンタクト３１から構成される。同様に、図１０に示すように、複数のコンタクト３１の第２のグループ３１Ｌは、同一平面（下側コンタクト配列平面）上にＸ軸方向に沿って互いに平行に配列され、舌状部３３２の下面に形成された複数のコンタクト受け部３３３内にそれぞれ載置された複数のコンタクト３１から構成される。
【００４７】
複数のコンタクト３１のそれぞれは、Ｚ軸方向に沿って直線状に延伸する棒状形状を有している。複数のコンタクト３１のそれぞれは、相手側コネクタ１００のコンタクト１２０と接触する先端側の接点部３１１と、インシュレーター３３の基部３３１に埋め込まれる固定部３１２と、インシュレーター３３の基部３３１から外部に向かって延伸し、電子デバイスの回路基板に接続される基板接続部３１３と、を有している。
【００４８】
コンタクト３１の接点部３１１は、電気コネクタ１が組み立てられた状態において、先端側からシェル２の本体部２１の差込口２１１を介して相手側コネクタ１００が挿入されたときに、相手側コネクタ１００の対応するコンタクト１２０と接触する。この際、相手側コネクタ１００と電気コネクタ１が嵌合状態となり、相手側コネクタ１００と電気コネクタ１との間の電気的接続が提供される。
【００４９】
コンタクト３１の固定部３１２は、接点部３１１の延伸方向と同一方向に延伸している。固定部３１２がインシュレーター３３の基部３３１に埋め込まれ、コンタクト３１がインシュレーター３３によって固定的に保持される。
【００５０】
コンタクト３１の基板接続部３１３は、固定部３１２の基端から固定部３１２の延伸方向と同一方向に延伸し、インシュレーター３３の基部３３１から外部に向かって延伸する。基板接続部３１３は、電子デバイスの回路基板に接続される。
【００５１】
また、第１のグループ３１Ｕを構成する複数のコンタクト３１は、相手側コネクタ１００との間で高周波信号を伝送するための２つの高周波信号コンタクト３１Ａから構成される二対の高周波信号コンタクトペアＣＰ１と、相手側コネクタ１００との間で通常の周波数の信号を伝送するための２つの通常信号コンタクト３１Ｂから構成される一対の通常信号コンタクトペアＣＰ２と、信号伝送以外の用途で用いられる複数の非信号コンタクト３１Ｃと、を含む。
【００５２】
二対の高周波信号コンタクトペアＣＰ１のそれぞれは、隣り合う２つの高周波信号コンタクト３１Ａから構成されている。二対の高周波信号コンタクトペアＣＰ１は、それぞれ、電気コネクタ１の幅方向（図中のＸ軸方向）の両側に位置している。さらに、二対の高周波信号コンタクトペアＣＰ１の両側には、非信号コンタクト３１Ｃが配列されている。図９において、二対の高周波信号コンタクトペアＣＰ１のそれぞれの外側に配置されている非信号コンタクト３１Ｃは、相手側コネクタ１００のグランド端子と接触するグランド端子である。一方、二対の高周波信号コンタクトペアＣＰ１のそれぞれの内側に配置されている非信号コンタクト３１Ｃは、電気コネクタ１に電力を供給するための電力供給用端子である。少なくとも図９の奥側に配列されている高周波信号コンタクトペアＣＰ１および該高周波信号コンタクトペアＣＰ１の両側に位置する非信号コンタクト３１Ｃは、第１のグランドプレート３２Ｌの上方に位置している。一方、少なくとも図９の手前側に配列されている高周波信号コンタクトペアＣＰ１および該高周波信号コンタクトペアＣＰ１の両側に位置する非信号コンタクト３１Ｃは、第２のグランドプレート３２Ｒの上方に位置している。
【００５３】
一対の通常信号コンタクトペアＣＰ２は、相手側コネクタ１００との間で通常の周波数の信号を伝送するための２つの通常信号コンタクト３１Ｂから構成されており、二対の高周波信号コンタクトペアＣＰ１の間に配列されている。さらに、一対の通常信号コンタクトペアＣＰ２の両側には、非信号コンタクト３１Ｃが配列されている。一対の通常信号コンタクトペアＣＰ２の両側に配列されている非信号コンタクト３１Ｃのそれぞれは、電気コネクタ１を識別するための信号の伝送に用いられる識別用コンタクトである。
【００５４】
図１０に示すように、第２のグループ３１Ｌを構成する複数のコンタクト３１は、上述した第１のグループ３１Ｕを構成するコンタクト３１と同様の構成を有しており、複数のコンタクト３１から構成される第１のグループ３１Ｕおよび第２のグループ３１Ｌが、第１のグランドプレート３２Ｌおよび第２のグランドプレート３２Ｒを介して、対向するよう配置されている。第１のグループ３１Ｕと第２のグループ３１Ｌは、第１のグランドプレート３２Ｌおよび第２のグランドプレート３２Ｒを介して、上下対称に配置されている。すなわち、第２のグループ３１Ｌの高周波信号コンタクト３１Ａは、第１のグループ３１Ｕの高周波信号コンタクト３１Ａと対向しており、第２のグループ３１Ｌの通常信号コンタクト３１Ｂは、第１のグループ３１Ｕの通常信号コンタクト３１Ｂと対向しており、第２のグループ３１Ｌの非信号コンタクト３１Ｃは、第１のグループ３１Ｕの非信号コンタクト３１Ｃと対向している。
【００５５】
第１のグループ３１Ｕおよび第２のグループ３１Ｌにおける複数の高周波信号コンタクト３１Ａと、複数の通常信号コンタクト３１Ｂと、複数の非信号コンタクト３１Ｃの数や配置は特に限定されず、電気コネクタ１は、電気コネクタの規格に応じて適宜設定される。
【００５６】
第１のグランドプレート３２Ｌおよび第２のグランドプレート３２Ｒのそれぞれは、インシュレーター３３の舌状部３３２に埋設される金属材料から構成される平板状部材である。第１のグランドプレート３２Ｌおよび第２のグランドプレート３２Ｒのそれぞれは、平板状の本体部３２１と、本体部３２１の基端から下方に向かって延伸し、インシュレーター３３の外部に露出する基板接続部３２２と、を備えている。
【００５７】
第１のグランドプレート３２Ｌおよび第２のグランドプレート３２Ｒは、第１のグランドプレート３２Ｌおよび第２のグランドプレート３２Ｒの本体部３２１が、グランド平面上に、相手側コネクタ１００の挿入方向（Ｚ軸方向）に直交する電気コネクタ１の幅方向（Ｘ軸方向）における電気コネクタ１の中心軸を介して左右対称となるよう配置されている。具体的には、図１１に示すように、第１のグランドプレート３２Ｌは、グランド平面上において、電気コネクタ１のＸ軸方向における電気コネクタ１の中心軸よりもＸ軸の正方向の領域に配置されており、第２のグランドプレート３２Ｒは、グランド平面上において、電気コネクタ１のＸ軸方向における電気コネクタ１の中心軸よりもＸ軸の負方向の領域に配置されている。
【００５８】
図１１に示すように、第１のグランドプレート３２Ｌおよび第２のグランドプレート３２Ｒは、グランド平面上に、互いに離間して配置されている。また、第１のグランドプレート３２Ｌと第２のグランドプレート３２Ｒとの間の隙間は、絶縁材料から構成されるインシュレーター３３により埋められる。そのため、第１のグランドプレート３２Ｌおよび第２のグランドプレート３２Ｒは、互いに絶縁された状態で、インシュレーター３３によって保持される。
【００５９】
また、第１のグランドプレート３２Ｌおよび第２のグランドプレート３２Ｒがインシュレーター３３によって保持されている状態において、第１のグランドプレート３２Ｌおよび第２のグランドプレート３２Ｒの一部分が、インシュレーター３３の舌状部３３２の開口３３４を介して外部に露出している。
【００６０】
図１２には、第１のグランドプレート３２Ｌおよび第２のグランドプレート３２Ｒと複数のコンタクト３１との位置関係が示されている。なお、図１２では、第１のグランドプレート３２Ｌおよび第２のグランドプレート３２Ｒと複数のコンタクト３１との位置関係を明確に示すため、複数のコンタクト３１から構成される第１のグループ３１Ｕが省略されているが、上述のように、第１のグループ３１Ｕは、第１のグランドプレート３２Ｌおよび第２のグランドプレート３２Ｒを介して、第２のグループ３１Ｌと上下対称に配置されている。
【００６１】
図１２から明らかなように、第１のグランドプレート３２Ｌの上側には、複数のコンタクト３１の第１のグループ３１Ｕの二対の高周波信号コンタクトペアＣＰ１の一方と、該一方の高周波信号コンタクトペアＣＰ１の左右に配置された非信号コンタクト３１Ｃが位置する。一方、第２のグランドプレート３２Ｒの上側には、複数のコンタクト３１の第１のグループ３１Ｕの二対の高周波信号コンタクトペアＣＰ１の他方と、該他方の高周波信号コンタクトペアＣＰ１の左右に配置された非信号コンタクト３１Ｃが位置する。同様に、第１のグランドプレート３２Ｌの下側には、複数のコンタクト３１の第２のグループ３１Ｌの二対の高周波信号コンタクトペアＣＰ１の一方と、該一方の高周波信号コンタクトペアＣＰ１の左右に配置された非信号コンタクト３１Ｃが位置する。一方、第２のグランドプレート３２Ｒの下側には、複数のコンタクト３１の第２のグループ３１Ｌの二対の高周波信号コンタクトペアＣＰ１の他方と、該他方の高周波信号コンタクトペアＣＰ１の左右に配置された非信号コンタクト３１Ｃが位置する。
【００６２】
このように、本発明の電気コネクタ１においては、第１のグループ３１Ｕおよび第２のグループ３１Ｌのそれぞれの二対の高周波信号コンタクトペアＣＰ１の一方が対向する第１のグランドプレート３２Ｌと、二対の高周波信号コンタクトペアＣＰ１の他方が対向する第２のグランドプレート３２Ｒとが互いに離間している。そのため、二対の高周波信号コンタクトペアＣＰ１の一方に高周波信号が流れたときに、第１のグランドプレート３２Ｌおよび第２のグランドプレート３２Ｒを介して、二対の高周波信号コンタクトペアＣＰ１の他方が、高周波信号が二対の高周波信号コンタクトペアＣＰ１の一方を流れたことによる影響を受けない。そのため、第１のグループ３１Ｕおよび第２のグループ３１Ｌのそれぞれの高周波信号コンタクトペアＣＰ１間のクロストークの発生を抑制することができる。
【００６３】
なお、インシュレーター３３によってグランド平面上で互いに離間して保持されたとき、第１のグランドプレート３２Ｌと第２のグランドプレート３２Ｒとが最接近する箇所での第１のグランドプレート３２Ｌと第２のグランドプレート３２Ｒとの離間距離は、第１のグランドプレート３２Ｌおよび第２のグランドプレート３２Ｒと複数のコンタクト３１のそれぞれとが最接近する箇所での第１のグランドプレート３２Ｌおよび第２のグランドプレート３２Ｒと複数のコンタクト３１のそれぞれとの離間距離以上となっている。第１のグランドプレート３２Ｌと第２のグランドプレート３２Ｒとが最接近する箇所での第１のグランドプレート３２Ｌと第２のグランドプレート３２Ｒとの離間距離が、第１のグランドプレート３２Ｌおよび第２のグランドプレート３２Ｒと複数のコンタクト３１のそれぞれとが最接近する箇所での第１のグランドプレート３２Ｌおよび第２のグランドプレート３２Ｒと複数のコンタクト３１のそれぞれとの離間距離より短いと、第１のグランドプレート３２Ｌと第２のグランドプレート３２Ｒとの間で疑似的な電気回路が形成されてしまい、上述のクロストーク抑制効果を得られない場合がある。
【００６４】
次に、第１のグランドプレート３２Ｌおよび第２のグランドプレート３２Ｒの具体的構成について詳述する。第１のグランドプレート３２Ｌおよび第２のグランドプレート３２Ｒのそれぞれの本体部３２１は、インシュレーター３３の舌状部３３２に、複数のコンタクト３１が配列されている平面（上側コンタクト配列平面および下側コンタクト配列平面）と平行となるように埋設されている。また、第１のグランドプレート３２Ｌおよび第２のグランドプレート３２Ｒのそれぞれの本体部３２１には、複数のコンタクト３１、第１のグランドプレート３２Ｌ、および第２のグランドプレート３２Ｒを保持するようインシュレーター３３を成形する際に、複数のコンタクト３１の位置決めを行うためのピンを挿通させるための複数の位置決め孔３２３と、内部構造体３のインサート成形時には接続部を介して互いに接続されている複数のコンタクト３１の接続部を打ち抜き、複数のコンタクト３１を互いに分離させるためのタイバーカットを実行するためのタイバーカット孔３２４と、複数のコンタクト３１のうち高周波信号コンタクト３１Ａのインピーダンスを調整するためのインピーダンス調整孔３２５と、を備えている。
【００６５】
位置決め孔３２３は、第１のグランドプレート３２Ｌ、および第２のグランドプレート３２Ｒを保持するようインシュレーター３３をインサート成形し、内部構造体３を得る際に複数のコンタクト３１のそれぞれの位置決めを行うための位置決めピンを挿通させるために本体部３２１に形成されている。なお、インシュレーター３３をインサート成形する際に、複数のコンタクト３１のそれぞれの位置決めを行うための位置決めピンは、位置決め孔３２３に加え、タイバーカット孔３２４、インピーダンス調整孔３２５、および第１のグランドプレート３２Ｌと第２のグランドプレート３２Ｒとの間の隙間に挿通される。例えば、複数のコンタクト３１から構成される第１のグループ３１Ｕおよび第２のグループ３１Ｌの最も外側に位置する非信号コンタクト３１Ｃを位置決めするためには、２つの位置決め孔３２３およびタイバーカット孔３２４のそれぞれに位置決めピンが挿通され、高周波信号コンタクト３１Ａを位置決めするためには、タイバーカット孔３２４およびインピーダンス調整孔３２５のそれぞれに位置決めピンが挿通され、通常信号コンタクト３１Ｂを位置決めするためには、第１のグランドプレート３２Ｌと第２のグランドプレート３２Ｒとの間の隙間に位置決めピンが挿通される。本体部３２１における位置決め孔３２３の数、位置および形状は特に限定されず、インシュレーター３３をインサート成形する際の必要に応じて適宜設定される。
【００６６】
タイバーカット孔３２４は、インシュレーター３３をインサート成形する際には接続部を介して互いに接続されている複数のコンタクト３１の接続部を打ち抜き、複数のコンタクト３１を互いに分離させるためのタイバーカットを実行するために本体部３２１に形成されている。インシュレーター３３をインサート成形する際には、上述のように位置決めピンによる複数のコンタクト３１の位置決めが実行されるが、複数のコンタクト３１の位置決めをより正確に実行するためには、複数のコンタクト３１同士を根元部分において互いに接続された状態で保持することが好ましい。そのため、複数のコンタクト３１は、インシュレーター３３をインサート成形する時点では、根元部分に設けられた接続部によって互いに接続されている。図示の形態では、第１のグループ３１Ｕおよび第２のグループ３１Ｌを構成する複数のコンタクト３１のうち、高周波信号コンタクトペアＣＰ１を構成する２つの高周波信号コンタクト３１Ａと、高周波信号コンタクトペアＣＰ１の左右に位置する２つの非信号コンタクト３１Ｃが接続部により互いに接続されており、さらに、通常信号コンタクトペアＣＰ２を構成する２つの通常信号コンタクト３１Ｂと、通常信号コンタクトペアＣＰ２の左右に位置する２つの非信号コンタクト３１Ｃが接続部により互いに接続されている。そのため、複数のコンタクト３１は、インシュレーター３３をインサート成形する時点では、４つのコンタクト３１が互いに接続された３つのコンタクト部品から構成されている。
【００６７】
タイバーカットは、インシュレーター３３をインサート成形した後に、３つのコンタクト部品の互いに接続された４つのコンタクト３１の接続部を打ち抜き、複数のコンタクト３１を互いに分離させるために実行される。タイバーカット孔３２４の数、位置および形状は特に限定されず、インシュレーター３３をインサート成形した後のタイバーカットの際の必要に応じて適宜設定される。
【００６８】
インピーダンス調整孔３２５は、高周波信号コンタクト３１Ａのそれぞれのインピーダンスを調整するため本体部３２１の高周波信号コンタクト３１Ａのそれぞれに対応する位置に形成されている。インピーダンス調整孔３２５の数、位置および形状は特に限定されず、必要とされる高周波信号コンタクト３１Ａのインピーダンス特性に応じて適宜設定される。
【００６９】
図１２に示すように、第１のグランドプレート３２Ｌおよび第２のグランドプレート３２Ｒのそれぞれの本体部３２１の複数のコンタクト３１のそれぞれに対応する位置に、位置決め孔３２３、タイバーカット孔３２４、およびインピーダンス調整孔３２５の少なくとも１つが形成されている。
【００７０】
さらに、本発明の電気コネクタ１においては、第１のグランドプレート３２Ｌおよび第２のグランドプレート３２Ｒの双方が、グランド平面上において、一方から他方に延伸する１つ以上の延伸部を備えている。第１のグランドプレート３２Ｌおよび第２のグランドプレート３２Ｒの双方が備える、グランド平面上において、一方から他方に延伸する１つ以上の延伸部によって、相手側コネクタの挿入方向（Ｚ軸方向）から見たときに、第１のグランドプレート３２Ｌまたは第２のグランドプレート３２Ｒが存在しない領域が生じることを防止することができる。
【００７１】
図１１および図１２に示す形態では、第１のグランドプレート３２Ｌおよび第２のグランドプレート３２Ｒの双方が、グランド平面上において、一方から他方に延伸する１つ以上の延伸部を備えている。具体的には、第１のグランドプレート３２Ｌは、本体部３２１の先端側から第２のグランドプレート３２Ｒに向かって延伸する先端延伸部３２６Ａと、本体部３２１の相手側コネクタの挿入方向（Ｚ軸方向）における中央部から第２のグランドプレート３２Ｒに向かって延伸する中央延伸部３２６Ｂと、本体部３２１の基端側から第２のグランドプレート３２Ｒに向かって延伸する基端延伸部３２６Ｃと、を備えている。同様に、第２のグランドプレート３２Ｒは、本体部３２１の先端側から第１のグランドプレート３２Ｌに向かって延伸する先端延伸部３２６Ａと、本体部３２１の相手側コネクタの挿入方向（Ｚ軸方向）における中央部から第１のグランドプレート３２Ｌに向かって延伸する中央延伸部３２６Ｂと、本体部３２１の基端側から第１のグランドプレート３２Ｌに向かって延伸する基端延伸部３２６Ｃと、を備えている。
【００７２】
このように、第１のグランドプレート３２Ｌおよび第２のグランドプレート３２Ｒの双方に、グランド平面上において、一方から他方に向かって延伸する延伸部を設けることにより、相手側コネクタの挿入方向（Ｚ軸方向）から見たときに、第１のグランドプレート３２Ｌまたは第２のグランドプレート３２Ｒが存在しない領域が生じることを防止することができる。第１のグランドプレート３２Ｌおよび第２のグランドプレート３２Ｒは、内部構造体３の面方向の応力を担っているので、このような構成により、内部構造体３の面方向の応力が著しく低下する領域を小さくする、または、そのような領域が生じることを防止することが可能となる。その結果、内部構造体３の反りや曲げの発生を抑制することができ、相手側コネクタ１００が先端側から電気コネクタ１に挿入された際の、相手側コネクタ１００と電気コネクタ１との接触不良の発生を抑制することができる。
【００７３】
特に、図１１および図１２に示す形態では、第１のグランドプレート３２Ｌの中央延伸部３２６Ｂと第２のグランドプレート３２Ｒの中央延伸部３２６Ｂは、相手側コネクタの挿入方向（Ｚ軸方向）において、少なくとも先端側の一部が重なっている。そのため、相手側コネクタの挿入方向（Ｚ軸方向）から見たときに、第１のグランドプレート３２Ｌまたは第２のグランドプレート３２Ｒが存在しない領域が存在しない。このような構成により、図示の電気コネクタ１では、内部構造体３の面方向の応力が著しく低下する領域が存在しない。そのため、内部構造体３の反りや曲げの発生をより確実に抑制することができる。
【００７４】
相手側コネクタの挿入方向（Ｚ軸方向）において、第１のグランドプレート３２Ｌの中央延伸部３２６Ｂと第２のグランドプレート３２Ｒの中央延伸部３２６Ｂが重なっている領域の幅Ｗ（電気コネクタ１の幅方向（Ｘ軸方向）における長さ）は、０．２５ｍｍ以上であることが好ましく、０．５ｍｍ以上であることがより好ましい。幅Ｗが上記値未満であると、内部構造体３の面方向の応力の低下を防止する効果を十分に発揮することができない。
【００７５】
また、図１１および図１２に示す形態では、第１のグランドプレート３２Ｌと第２のグランドプレート３２Ｒとが最接近する箇所は、第１のグランドプレート３２Ｌの先端延伸部３２６Ａと第２のグランドプレート３２Ｒの先端延伸部３２６Ａとの間、第１のグランドプレート３２Ｌの中央延伸部３２６Ｂと第２のグランドプレート３２Ｒの本体部３２１との間、第２のグランドプレート３２Ｒの中央延伸部３２６Ｂと第１のグランドプレート３２Ｌの本体部３２１との間、または、第１のグランドプレート３２Ｌの基端延伸部３２６Ｃと第２のグランドプレート３２Ｒの基端延伸部３２６Ｃとの間である。第１のグランドプレート３２Ｌと第２のグランドプレート３２Ｒとが最接近する箇所での第１のグランドプレート３２Ｌと第２のグランドプレート３２Ｒの離間距離は、上述のように、第１のグランドプレート３２Ｌおよび第２のグランドプレート３２Ｒと複数のコンタクト３１のそれぞれとが最接近する箇所での第１のグランドプレート３２Ｌおよび第２のグランドプレート３２Ｒと複数のコンタクト３１のそれぞれとの離間距離以上となっている。
【００７６】
なお、図１１および図１２に示す形態では、第１のグランドプレート３２Ｌおよび第２のグランドプレート３２Ｒの双方が、一方から他方に向かって延伸する延伸部を備えているが、本発明はこれに限られない。例えば、第１のグランドプレート３２Ｌおよび第２のグランドプレート３２Ｒの一方のみが、一方から他方に向かって延伸する延伸部を備えている場合も本発明の範囲内である。例えば、第１のグランドプレート３２Ｌのみが、先端延伸部３２６Ａ、中央延伸部３２６Ｂ、および基端延伸部３２６Ｃの少なくとも１つを備えているような場合も本発明の範囲内である。この場合、相手側コネクタの挿入方向（Ｚ軸方向）から見たときに、第１のグランドプレート３２Ｌまたは第２のグランドプレート３２Ｒが存在しない領域が生じることを完全に防止することはできないが、そのような領域を縮小させることができる。そのため、内部構造体３の面方向の応力が著しく低下する領域を小さくすることができ、内部構造体３の反りや曲げの発生を抑制することができる。
【００７７】
第１のグランドプレート３２Ｌおよび第２のグランドプレート３２Ｒの双方が備える延伸部の数、位置および形状は、必要とされる内部構造体３の面方向の応力に応じて適宜設定することができる。例えば、図１３には、第１のグランドプレート３２Ｌおよび第２のグランドプレート３２Ｒの複数の変形例が示されている。
【００７８】
図１３（ａ）には、第１のグランドプレート３２Ｌおよび第２のグランドプレート３２Ｒの１つの変形例が示されている。図１１に示した構成と比較して、図１３（ａ）に示されている変形例では、第１のグランドプレート３２Ｌの中央延伸部３２６Ｂが省略され、第２のグランドプレート３２Ｒの中央延伸部３２６ＢのＺ軸方向における幅が増大している。この場合、相手側コネクタの挿入方向（Ｚ軸方向）において、第２のグランドプレート３２Ｒの中央延伸部３２６Ｂと、第１のグランドプレート３２Ｌの先端延伸部３２６Ａおよび基端延伸部３２６Ｃとが、重なっている。図１３（ａ）に示す変形例では、図１１に示した構成と比較して、第１のグランドプレート３２Ｌおよび第２のグランドプレート３２Ｒの先端延伸部３２６Ａ間の隙間と、第１のグランドプレート３２Ｌおよび第２のグランドプレート３２Ｒの基端延伸部３２６Ｃとの間の隙間とを結ぶ直線状の領域において、第２のグランドプレート３２Ｒの中央延伸部３２６Ｂが占める割合が増大している。そのため、第１のグランドプレート３２Ｌおよび第２のグランドプレート３２Ｒの先端延伸部３２６Ａ間の隙間と、第１のグランドプレート３２Ｌおよび第２のグランドプレート３２Ｒの基端延伸部３２６Ｃとの間の隙間とを結ぶ直線状の領域における内部構造体３の面方向の応力の低下をより効果的に防止することができる。
【００７９】
図１３（ｂ）に示す変形例では、第２のグランドプレート３２Ｒが、第１のグランドプレート３２Ｌに向かって平行に延伸する２つの中央延伸部３２６Ｂを備え、相手側コネクタの挿入方向（Ｚ軸方向）において、第１のグランドプレート３２Ｌの中央延伸部３２６Ｂと第２のグランドプレート３２Ｒの２つの中央延伸部３２６Ｂが、交互に位置している。図１３（ｂ）に示す変形例においても、図１１に示した構成と比較して、第１のグランドプレート３２Ｌおよび第２のグランドプレート３２Ｒの先端延伸部３２６Ａ間の隙間と、第１のグランドプレート３２Ｌおよび第２のグランドプレート３２Ｒの基端延伸部３２６Ｃとの間の隙間とを結ぶ直線状の領域において、第２のグランドプレート３２Ｒの中央延伸部３２６Ｂが占める割合が増大している。
【００８０】
図１３（ｃ）に示す変形例では、第１のグランドプレート３２Ｌの中央延伸部３２６Ｂの先端部分が、Ｚ軸の負方向に向かって折り曲がっており、第２のグランドプレート３２Ｒの中央延伸部３２６Ｂの先端部分が、Ｚ軸の正方向に向かって折り曲がっている。そのため、図１３（ｃ）に示す変形例では、第１のグランドプレート３２Ｌの中央延伸部３２６Ｂおよび第２のグランドプレート３２Ｒの中央延伸部３２６Ｂは、相手側コネクタ１００の挿入方向（Ｚ軸方向）だけでなく、相手側コネクタ１００の挿入方向に直交する電気コネクタ１の幅方向（Ｘ軸方向）においても、重なっている。図１３（ｃ）に示す変形例においても、図１１に示した構成と比較して、第１のグランドプレート３２Ｌおよび第２のグランドプレート３２Ｒの先端延伸部３２６Ａ間の隙間と、第１のグランドプレート３２Ｌおよび第２のグランドプレート３２Ｒの基端延伸部３２６Ｃとの間の隙間とを結ぶ直線状の領域において、第１のグランドプレート３２Ｌおよび第２のグランドプレート３２Ｒの中央延伸部３２６Ｂが占める割合が増大している。
【００８１】
図１３（ｄ）に示す変形例では、第１のグランドプレート３２Ｌの基端延伸部３２６ＣのＸ軸方向の幅が減少し、第２のグランドプレート３２Ｒの基端延伸部３２６ＣのＸ軸方向の幅が増大している。そのため、第１のグランドプレート３２Ｌおよび第２のグランドプレート３２Ｒの先端延伸部３２６Ａ間の隙間と、第１のグランドプレート３２Ｌおよび第２のグランドプレート３２Ｒの基端延伸部３２６Ｃとの間の隙間が同一直線状に位置しない。第１のグランドプレート３２Ｌおよび第２のグランドプレート３２Ｒの先端延伸部３２６Ａ間の隙間と、第１のグランドプレート３２Ｌおよび第２のグランドプレート３２Ｒの基端延伸部３２６Ｃとの間の隙間が同一直線状に位置していると、その直線状の領域において内部構造体３の面方向の応力が低下してしまう。一方、図１３（ｄ）に示す変形例では、第１のグランドプレート３２Ｌおよび第２のグランドプレート３２Ｒの先端延伸部３２６Ａ間の隙間と、第１のグランドプレート３２Ｌおよび第２のグランドプレート３２Ｒの基端延伸部３２６Ｃとの間の隙間が同一直線状に位置しないため、内部構造体３の面方向の応力が低下する領域が生じることを防止することができる。
【００８２】
図１３（ａ）〜図１３（ｃ）に示した変形例は、図１１に示した構成に、第１のグランドプレート３２Ｌの本体部３２１と第２のグランドプレート３２Ｒの本体部３２１との間の領域において、第１のグランドプレート３２Ｌおよび第２のグランドプレート３２Ｒの延伸部が占める割合を増加させるための改良を施した構成である。図１３（ｄ）に示した変形例は、第１のグランドプレート３２Ｌおよび第２のグランドプレート３２Ｒの先端延伸部３２６Ａ間の隙間と、第１のグランドプレート３２Ｌおよび第２のグランドプレート３２Ｒの基端延伸部３２６Ｃとの間の隙間とを結ぶ直線状の領域における内部構造体３の面方向の応力の低下をより効果的に防止するための改良を施した構成である。
【００８３】
図１３を参照して詳述した第１のグランドプレート３２Ｌおよび第２のグランドプレート３２Ｒの変形例を用いた場合であっても、相手側コネクタの挿入方向（Ｚ軸方向）から見たときに、第１のグランドプレート３２Ｌまたは第２のグランドプレート３２Ｒが存在しない領域が生じることを防止することができる。そのため、内部構造体３の面方向の応力が著しく低下する領域が生じることを防止することができる。
【００８４】
図１４には、電気コネクタ１の縦断面図が示されている。図１５には、相手側コネクタ１００と電気コネクタ１が嵌合された状態の縦断面図が示されている。電気コネクタ１の先端側から相手側コネクタ１００が電気コネクタ１のシェル２の差込口２１１に挿入されると、相手側コネクタ１００の複数のコンタクト１２０のそれぞれと、電気コネクタ１の複数のコンタクト３１のそれぞれとが接触し、相手側コネクタ１００と電気コネクタ１との間の電気的接続が提供される。同時に、電気コネクタ１のシェル２のシェル接触部２２が相手側コネクタ１００のシェル１１０の外周に接触し、さらに、インシュレーター３３の舌状部３３２の開口３３４を介して外部に露出している電気コネクタ１の第１のグランドプレート３２Ｌおよび第２のグランドプレート３２Ｒの一部分が、相手側コネクタ１００のグランド端子と接触することにより、相手側コネクタ１００および電気コネクタ１のグランド電位が等しくなる。また、相手側コネクタ１００のシェル１１０の先端が、電気コネクタ１のシェル２のシェルストッパー２３に接触し、相手側コネクタ１００の挿入動作が規制される。
【００８５】
このように、本発明の電気コネクタ１では、第１のグランドプレート３２Ｌと第２のグランドプレート３２Ｒが互いに分離された状態で配置され、さらに、インシュレーター３３が第１のグランドプレート３２Ｌおよび第２のグランドプレート３２Ｒを互いに絶縁した状態で保持する。そのため、本発明の電気コネクタ１では、第１のグランドプレート３２Ｌおよび第２のグランドプレート３２Ｒを介した、複数のコンタクト３１から構成される第１のグループ３１Ｕおよび第２のグループ３１Ｌのそれぞれの二対の高周波信号コンタクトペアＣＰ１間のクロストークの発生が抑制されている。
【００８６】
さらに、本発明の電気コネクタ１では、第１のグランドプレート３２Ｌおよび第２のグランドプレート３２Ｒの双方が、グランド平面上において、一方から他方に向かって延伸する延伸部を備えており、さらに、第１のグランドプレートの延伸部および第２のグランドプレートの延伸部は、相手側コネクタの挿入方向において、少なくとも一部が重なっている。そのため、第１のグランドプレート３２Ｌおよび第２のグランドプレート３２Ｒを分離することにより生じる第１のグランドプレート３２Ｌおよび第２のグランドプレート３２Ｒとの間において、相手側コネクタの挿入方向（Ｚ軸方向）から見たときに、第１のグランドプレート３２Ｌまたは第２のグランドプレート３２Ｒが存在しない領域が生じることを防止することができる。そのため、従来技術のように、内部構造体３の面方向の応力が著しく低下する領域が生じることを防止することができる。そのため、内部構造体３の反りや曲げの発生を抑制することができ、相手側コネクタ１００が先端側から電気コネクタ１に挿入された際の、相手側コネクタ１００と電気コネクタ１との接触不良の発生を抑制することができる。
【００８７】
以上、本発明の電気コネクタ１を図示の実施形態に基づいて説明したが、上述のような本発明の電気コネクタ１を備える電子デバイスもまた、本発明の範囲内である。本発明の電子デバイスは、筐体と、筐体内に設けられた回路基板と、回路基板上に実装された上述の電気コネクタ１を含む。
【００８８】
以上、本発明の電気コネクタおよび電子デバイスを図示の実施形態に基づいて説明したが、本発明はこれに限定されるものではない。本発明の各構成は、同様の機能を発揮し得る任意のものと置換することができ、あるいは、本発明の各構成に任意の構成のものを付加することができる。
【００８９】
また、本発明の電気コネクタ１において、内部構造体３の複数のコンタクト３１は、インシュレーター３３の舌状部３３２および舌状部３３２に埋設された第１のグランドプレート３２Ｌおよび第２のグランドプレート３２Ｒを介して対向する第１のグループ３１Ｕおよび第２のグループ３１Ｌを形成しているが、本発明はこれに限られない。例えば、複数のコンタクト３１が第１のグループ３１Ｕおよび第２のグループ３１Ｌの一方のみを形成しているような態様や、複数のコンタクト３１が第１のグループ３１Ｕおよび第２のグループ３１Ｌに加え、１つ以上の追加的なグループを形成しているような態様も、本発明の範囲内である。
【００９０】
本発明の属する分野および技術における当業者であれば、本発明の原理、考え方、および範囲から有意に逸脱することなく、記述された本発明の電気コネクタの構成の変更を実行可能であろうし、変更された構成を有する電気コネクタもまた、本発明の範囲内である。
【００９１】
また、図４〜図１５に示された電気コネクタの構成要素の数や種類は、説明のための例示にすぎず、本発明は必ずしもこれに限られない。本発明の原理および意図から逸脱しない範囲において、任意の構成要素が追加若しくは組み合わされ、または任意の構成要素が削除された態様も、本発明の範囲内である。
【符号の説明】
【００９２】
１…電気コネクタ  ２…シェル  ２１…本体部  ２１１…差込口  ２１２…基端側開口  ２２…シェル接触部  ２３…シェルストッパー  ２４…抑え部  ２５…シェル脚部  ３…内部構造体  ３１…コンタクト  ３１１…接点部  ３１２…固定部  ３１３…基板接続部  ３１Ａ…高周波信号コンタクト  ３１Ｂ…通常信号コンタクト  ３１Ｃ…非信号コンタクト  ３１Ｌ…第２のグループ  ３１Ｕ…第１のグループ  ３２Ｌ…第１のグランドプレート  ３２Ｒ…第２のグランドプレート  ３２１…本体部  ３２２…基板接続部  ３２３…位置決め孔  ３２４…タイバーカット孔  ３２５…インピーダンス調整孔  ３２６Ａ…先端延伸部  ３２６Ｂ…中央延伸部  ３２６Ｃ…基端延伸部  ３３…インシュレーター  ３３１…基部  ３３２…舌状部  ３３３…コンタクト受け部  ３３４…開口  １００…相手側コネクタ  １１０…シェル  １２０…コンタクト  ８００…グランドプレート  ８００Ａ、８００Ｂ、８００Ｃ…グランドプレート片  ８１０…コンタクト  ８１０Ａ…高周波信号用コネクタ  ８１０Ｂ…通常信号用コネクタ  ８１０Ｃ…非信号コンタクト  ８１０Ｌ…第２のグループ  ８１０Ｕ…第１のグループ  ＣＰ１…高周波信号コンタクトペア  ＣＰ２…通常信号コンタクトペア  Ｓ…空間
【図１】
2020072078.tif 000003
【図２】
2020072078.tif 000004
【図３】
2020072078.tif 000005
【図４】
2020072078.tif 000006
【図５】
2020072078.tif 000007
【図６】
2020072078.tif 000008
【図７】
2020072078.tif 000009
【図８】
2020072078.tif 000010
【図９】
2020072078.tif 000011
【図１０】
2020072078.tif 000012
【図１１】
2020072078.tif 000013
【図１２】
2020072078.tif 000014
【図１３】
2020072078.tif 000015
【図１４】
2020072078.tif 000016
【図１５】
2020072078.tif 000017